(57)【要約】【課題】遊技媒体の計数を良好に行う遊技用装置を提供する。【解決手段】遊技用装置は、誘導抑制状態が発生している場合には誘導動作の実行を待機するので、誘導抑制状態において誘導動作が発生することを抑制できる。これにより、処理負荷や電力負荷が大きくなることを抑制し、遊技媒体の計数を良好に行うことができる。【選択図】図６
2019000521.tif 000002
【特許請求の範囲】
【請求項１】
計数者が遊技媒体を投入する投入部と、
前記投入部に投入された遊技媒体を貯留する貯留部と、
遊技媒体を計数する計数部と、
前記投入部に遊技媒体が投入された際に、所定の誘導抑制状態が発生していなければ、前記貯留部の遊技媒体を前記計数部に誘導する誘導動作を実行する一方、前記誘導抑制状態が発生していれば、当該誘導抑制状態が終了するまで前記誘導動作の実行を待機する誘導手段と、を備えたことを特徴とする遊技用装置。
【請求項２】
遊技者が払出操作を行った場合に、前記遊技媒体を遊技者に払い出す払出手段を備え、
前記誘導手段は、前記払出手段が遊技媒体を払い出している場合に前記誘導抑制状態が発生していると判断すると共に、その遊技媒体の払出が終了した場合に前記誘導抑制状態が終了したものとして、前記誘導動作を実行することを特徴とする請求項１に記載した遊技用装置。
【請求項３】
遊技者が発行操作を行った場合に、前記計数部の計数結果を特定可能な情報を記録した記録媒体を発行する発行手段を備え、
前記誘導手段は、前記記録媒体を発行している場合に前記誘導抑制状態が発生していると判断すると共に、当該記録媒体の発行が終了した場合に前記誘導抑制状態が終了したものとして、前記誘導動作を実行することを特徴とする請求項１又は２に記載した遊技用装置。
【請求項４】
遊技者が発行操作を行った場合に、前記計数部の計数結果を特定可能な情報を記録した記録媒体を発行する発行手段を備え、
前記誘導手段は、遊技者が前記発行操作を行った場合、前記発行手段が前記記録媒体を発行する前に、前記誘導動作を実行することを特徴とする請求項１又は２に記載した遊技用装置。
【請求項５】
前記発行手段は、前記記録媒体の発行中に前記投入部に遊技媒体が投入された場合、その記録媒体の発行を中止することが可能なタイミングであれば、その記録媒体の発行を中止することを特徴とする請求項３又は４に記載した遊技用装置。
【請求項６】
前記誘導手段は、前記誘導抑制状態が終了した場合、当該誘導抑制状態中に前記投入部に遊技媒体が投入されたか否かに関わらず、前記誘導動作を実行することを特徴とする請求項１から５の何れか一項に記載した遊技用装置。
【発明の詳細な説明】
【技術分野】
【０００１】
本発明は、遊技用装置に関する。
【背景技術】
【０００２】
近年、パチンコ遊技機やスロットマシン等の遊技機が設置された遊技場では、遊技機と１対１で対応付けて遊技者が獲得した遊技媒体を計数する機能を有した貸出装置（遊技用装置）を設けている。例えば特許文献１には、メダルを貸し出す機能と、遊技者が獲得したメダルを計数する機能とを備えた貸出装置について記載されている。この貸出装置では、メダルの投入を検出した場合に計数を開始すると共に、所定時間新たなメダルの投入を検出しなかった場合に計数を終了する。
【先行技術文献】
【特許文献】
【０００３】
【特許文献１】特開２０１６−１０５９６号公報
【発明の概要】
【発明が解決しようとする課題】
【０００４】
しかしながら、遊技媒体の投入タイミングは遊技者によってまちまちである。このため、例えばＩＣカードの発行中等に遊技媒体が投入されると、ＩＣカード発行用の駆動部とメダル計数用の駆動部とが同時に動くことで電力負荷や処理負荷が大きくなり、計数できない遊技媒体が発生する等、遊技媒体の計数が正常に行えなくなることが考えられる。
【０００５】
本発明は、上記した事情に鑑みてなされたもので、その目的は、遊技媒体の計数を良好に行う遊技用装置を提供することにある。
【課題を解決するための手段】
【０００６】
遊技用装置は、誘導抑制状態が発生している場合には誘導動作の実行を待機するので、誘導抑制状態において誘導動作が発生することを抑制できる。これにより、処理負荷や電力負荷が大きくなることを抑制し、遊技媒体の計数を良好に行うことができる。
【図面の簡単な説明】
【０００７】
【図１】本発明の一実施形態を示す全体構成図
【図２】貸出装置の機能ブロック図
【図３】貸出装置の一部を破断して示す側面図
【図４】計数ユニットを示す斜視図
【図５】誘導抑制状態設定処理のフローチャート
【図６】計数処理のフローチャート
【図７】カード発行処理のフローチャート
【図８】発行中止処理のフローチャート
【発明を実施するための形態】
【０００８】
以下、本発明の一実施形態について図面を参照して説明する。図１は、遊技用システムの全体構成を概略的に示している。遊技場内には、多数の遊技機（例えばスロットマシン）１が設置されており、各遊技機１に対応して貸出装置２及びデータ表示機３が夫々付設されている。遊技機１、貸出装置２及びデータ表示機３は、２台ずつ中継装置４に接続されている。データ表示機３は、対応する遊技機１の上方に設置されており、中継装置４で受信する信号に基づき各種の遊技データを表示する。中継装置４は、ＬＡＮ５を介して管理装置６に接続されている。
【０００９】
管理装置６は、遊技場内の例えば事務所等に設置されており、モニタ６ｍ、キーボード６ｋ等が接続されている。管理装置６は、遊技機１、貸出装置２、データ表示機３等から出力される遊技信号を入力することで、それら遊技機１側の機器の稼働状況を管理する。尚、図１では図示を省略したが、同図のスロットマシンの他、所謂パチンコ遊技機も含めて例えば数百台の遊技機１が管理装置６の管理対象となっており、遊技場内に形成された遊技機島に、それら遊技機１側の機器が設置されている。また、遊技機１がスロットマシンの場合、その遊技媒体はメダルであり、遊技機がパチンコ遊技機であれば、遊技媒体はパチンコ玉である。
【００１０】
遊技機１は、表示窓１１、リール１２、スタートレバー１３、ストップボタン１４、液晶表示部１５、メダル投入口１６、ＢＥＴボタン１７、受皿１８等を備えている。遊技者は、表示窓１１を通じて内部に設けられたリール１２に描かれた図柄を視認可能となっている。遊技者がメダル（遊技価値）をメダル投入口１６に投入する、又はＢＥＴボタン１７を操作することで、クレジットメダル（遊技価値）が所定枚数ベットされ、その状態でスタートレバー１３の操作つまりゲームの開始操作が行われると、内部抽選を実行すると共に図柄の変動を開始させ、ストップボタン１４が操作されると、所謂引込制御（予め規定された引込範囲である例えば４図柄まで図柄を有効ライン上に引込んで停止表示させる制御）によりリール１２の変動を停止する。
【００１１】
この遊技機１には、周知のようにボーナス役、小役、リプレイ役等の役が設定されており、上記した内部抽選時に何れの役に内部当選した状態で遊技者によりストップボタン１４が操作され、予め設定されている有効ライン上にその内部当選役に対応する図柄が停止表示されると（図柄が揃うと）、入賞が発生する。そして、入賞が発生した場合には、対応する枚数のメダルの払出（遊技価値の付与）または大当たり状態（ボーナス状態）等への移行が行われる。
【００１２】
遊技機１は、遊技の実行に応じて各種の遊技信号を出力する。具体的には、遊技機１は、遊技機１に対して投入された遊技媒体の数を示す投入信号、入賞の発生により払出された遊技媒体の数を示す払出信号、ゲームが開始されたことを示すスタート信号、大当たり状態が発生したことを示す大当たり信号（ボーナス信号）等を出力する。データ表示機３や管理装置６は、これらの遊技信号を遊技機１から中継装置４を経由して入力することに基づき、遊技情報の集計及び管理、大当たり状態の特定等を行う。
【００１３】
貸出装置２は、動作状態を示すＬＥＤからなる動作ランプ２１、貨幣が投入される貨幣投入口２２、各種表示を行う液晶表示部２３、液晶表示部２３上に配設されたタッチパネル２３ａ、図示しないＩＣカード（記録媒体）が挿入されるカード挿入口２４、操作ボタン群２５、操作ボタン群２５に含まれる払出操作用の払出ボタン２５ａ（或いは貸出ボタン２５ｂ）の押下に応じてメダルを遊技機１の受皿１８に払出す払出ノズル２７等を備えている。
【００１４】
貸出装置２は、貨幣投入口２２から貨幣を受け付けると、表示部２３にて入金額が残高に加算して表示され、残高がある状態で遊技者が貸出ボタン２５ｂを押下（貸出操作、付与操作）すると払出単位（例えば１０００円）分の貸出メダル（対価付与価値）を払出ノズル２７から払い出し（対価付与処理）、その対価分を残高から減算する。尚、貨幣は複数回分の対価付与処理の対応分を受付可能である（例えば１万円まで）。
【００１５】
本実施形態の貸出装置２は、所謂各台計数機能を有する遊技用装置であり、例えば遊技者が言わば計数者としてメダルを投入する投入部３０（計数受入れ部）を備える。貸出装置２は、その投入されたメダルを後述する計数部（計数センサ３２ａ）で計数して持玉として管理し、その持玉を対価とした払戻処理を行った場合はその対価分（払い戻したメダルと同数）を持玉から減算する。そして、貸出装置２は、残高や持玉が残存する状態で遊技者が予め定められた発行操作を行った場合に、残高や持玉（計数センサ３２ａでの計数結果）を特定可能な情報を記録したＩＣカードを発行する。一方、カード挿入口２４にてＩＣカードを受け付けた場合は、そのＩＣカードにより特定される残高や持玉を引継ぐ。
【００１６】
前記発行操作は、例えば液晶表示部２３のメニュー画面（図示略）に表示される発行ボタンを、遊技者がタッチパネル２３ａでタッチ（以下「タッチ操作」と略す）することにより行うものとする。また、本実施形態では、以降の説明を含め遊技媒体がメダルとなるスロットマシンを例示しているが、説明の都合上、持「玉」等、遊技媒体をメダルではなく玉と表現する場合がある。
【００１７】
図２は、貸出装置２の電気的構成を示す機能ブロック図である。貸出装置２は、ＣＰＵ２０ａ、ＲＯＭ２０ｂ、ＲＡＭ２０ｃ、Ｉ／Ｏ２０ｄを有するマイクロコンピュータにより構成される制御部２０により動作する。制御部２０には、動作ランプ２１、貨幣投入口２２に投入された貨幣（紙幣）を処理する貨幣処理部２２ａ、液晶表示部２３、タッチパネル２３ａ、ＩＣカードに記録されている各種情報を読取ったり書込んだりするカードＲＷ（リーダライタ）２４ａ、中継装置４との間で各種信号を入出力する入出力部２９、払出ボタン２５ａや貸出ボタン２５ｂといった操作ボタン群２５が接続されている。
【００１８】
また、図２に示すように、制御部２０には、自装置２が搭載するアクチュエータとして後述するカード搬送用の駆動モータ２４ｂ、払出用のホッパ（払出ホッパ３１、図３参照）の駆動モータ３１ｂ、計数用のホッパ（計数ホッパ３２）の駆動モータ３２ｂが接続されると共に、それらホッパ３１，３２に配設された各種センサ３１ａ，３２ａ、３２ｓが接続されている。
【００１９】
さて、貸出装置２において、メダルを投入部３０に投入するタイミングは遊技者によってまちまちである。従って仮に、メダルの投入部３０への投入に際して、ＩＣカードの発行が行われると、そのカード搬送用の駆動モータ２４ｂと計数ホッパ３２の駆動モータ３２ｂとが同時に動作することで電力負荷や処理負荷が大きくなり、計数できないメダルが生じる等して、正常な計数を行えなくなる事態も想定される。それ故、カード搬送用の駆動モータ２４ｂ等が動作している状態は、計数ホッパ３２の動作（誘導動作）を抑制すべき、誘導抑制状態にあるものといえる。
【００２０】
そこで、貸出装置２の制御部２０は、投入部３０にメダルが投入された際に、予め定められた誘導抑制状態が発生していなければ、その投入されたメダルを貯留する計数ホッパ３２内のメダルを計数センサ３２ａに誘導する誘導動作を実行する一方、誘導抑制状態が発生していれば、当該誘導抑制状態が終了するまで誘導動作の実行を待機する。係る貸出装置２の具体的構成について、図３、図４も参照しながら詳述する。
【００２１】
図３は、貸出装置２について下部を破断して示す右側面図であり、貸出装置２の上部には、駆動モータ２４ｂを備えるカード搬送機構（図示略）が配設されている。カード搬送機構は、貸出装置２に内蔵されたカード搬送用の複数のローラとその駆動モータ２４ｂとを含み、ＩＣカードを、駆動モータ２４ｂの駆動により上記カードＲＷ２４ａ側（或いは図示しないカードストック部側）や、カード挿入口２４側へとそれら所定位置に搬送するように構成されている。従って、ＩＣカードを発行する発行手段としては、カードＲＷ２４ａやカード搬送機構の他、駆動モータ２４ｂを制御する制御部２０が含まれる。
【００２２】
図３に示すように、貸出装置２には、上下方向における略中間部に位置して払出ホッパ３１が内蔵されている。払出ホッパ３１は、上面側が開放されたホッパ形状の貯留部３１ｃと、その基台部３１ｄとを備えている。貯留部３１ｃには、貸出装置２の背面側に設けられた補給路３３等を介して、補給されるメダルを貯留する。また、詳しい図示は省略するが、払出ホッパ３１の基台部３１ｄの前面側には払出口３１ｅが設けられ、貯留部３１ｃの底部には、駆動モータ３１ｂにより回転する回転盤３１ｆが設けられている。
【００２３】
払出ホッパ３１は、駆動モータ３１ｂの駆動により回転盤３１ｆを回転させて、貯留部３１ｃ内のメダルを払出口３１ｅから払出す。このとき、払出口３１ｅから払出したメダルは、図３に示す払出ノズル２７へ連なる払出経路Ａを介して、遊技機１の受皿１８へと流下する。また、制御部２０は、遊技者が予め定められた払出操作（前記貸出操作による貸出処理或いは前記持玉を対価とした再プレイ処理等）を行った場合に、上記した駆動モータ３１ｂを駆動させて、貯留部３１ｃ内のメダルを、払出通路Ａを介して払出ノズル２７から払出すようになっており、その払出ホッパ３１と共に払出手段を構成する。
【００２４】
尚、貯留部３１ｃの下側に配設された払出検知センサ３１ａは、払出しに係るメダル（或いは貯留部３１ｃ内のメダル）を検知するものとする。また、回転盤３１ｆの構成については、以下に説明する計数ホッパ３２の回転盤３２ｆと同様の構成を採用することができ、その詳細な説明を省略する。
【００２５】
計数ホッパ３２は、払出ホッパ３１の下方に位置して貸出装置２に内蔵されている。計数ホッパ３２は、図４の外観斜視図で示すように、上面側が開放されたホッパ形状の貯留部３２ｃと、その基台部３２ｄを備えており、貸出装置２前面側の投入部３０に投入されたメダルを、計数経路Ｂ１（図３の破線矢印参照）を介して貯留部３２ｃ内に貯留する。ここで、投入部３０は、図３に示すように蓋３０ａを開いた状態で、貸出装置２の前面側にて上方からメダルを受入れるように開口している。投入部３０の底壁３０ｂは、上方から投入されるメダルが後方の貯留部３２ｃへと滑り落ちるような斜面とすることで、投入経路Ｂ１を形成している。
【００２６】
計数ホッパ３２において、貯留部３２ｃの底部には、駆動モータ３２ｂにより回転する回転盤３２ｆが設けられ、基台部３２ｄの上部側には、貯留部３２ｃの後側底部から後方へ延びる計数経路Ｂ２（図３の破線矢印参照）が設けられている。計数経路Ｂ２には、計数センサ３２ａが設けられている。計数センサ３２ａは、例えばフォトセンサ及び近接センサの２種類のセンサ（図３に示す２つのセンサ３２ａ１，３２ａ２）で構成されるものとする。これにより、貸出装置２の制御部２０は、フォトセンサ３２ａ１でメダルの通過を確認した後、近接センサ３２ａ２が反応した場合にカウント値をインクリメントする計数処理を実行する。以下では便宜上、フォトセンサ３２ａ１及び近接センサ３２ａ２について夫々の出力を、単に「計数センサ３２ａからのセンサ出力」と称する。尚、計数センサ３２ａについて、メダルの計数が可能な１つのセンサで構成してよいことは勿論である。
【００２７】
図４に示すように、前記回転盤３２ｆは、駆動モータ３２ｂの駆動軸により回転される回転軸３５Ａと、その回転軸３５Ａの周りに等間隔に形成された複数（例えば５つ）の円形凹部３５Ｂ（同図４に当該凹部３５Ｂの一部を示す）とを備える回転体３５である。円形凹部３５Ｂは、メダルが１枚ずつ収まる大きさに形成されている。そして、貯留部３２ｃ内に積み重なるようにして貯留されたメダルは、駆動モータ３１ｂの駆動による回転盤３２ｆの回転に応じて、円形凹部３５Ｂに１枚ずつ収まり、その凹部３５Ｂのメダルが後方の回転位置へ至ると、１枚ずつ当該後方の計数経路Ｂ２つまり計数センサ３２ａ側へ送り出されるようにして誘導される。このような誘導動作は、制御部２０、回転盤３２ｆ及び駆動モータ３２ｂを含む誘導手段によって実現され、制御部２０は、貯留部３２ｃのメダルを計数センサ３２ａ側に誘導する誘導動作を実行するように、駆動モータ３１ｂ（回転盤３２ｆの回転）を制御する。
【００２８】
尚、図３に示すように、貯留部３２ｃの下側に配設されるオートスタートセンサ３２ｓは、貯留部３２ｃに貯留されたメダル（投入部３０から投入されたメダル）を検知する例えば近接センサからなる。また、計数経路Ｂ２の下流側には、計数センサ３２ａで計数されたメダルを、貸出装置２の背面側で回収して循環させるための循環路３７が設けられている。
【００２９】
続いて、上記した誘導動作の実行を含む処理に関して、図５〜図８のフローチャートも参照しながら説明する。尚、図５〜図８のフローチャートで示す各処理は、貸出装置２の制御部２０（適宜「貸出装置２」と略す）により実行されるものとする。また、遊技機１での遊技により遊技者が獲得したメダルは、対応する貸出装置２で図６の計数処理が実行されるものとする。
【００３０】
ここで図５は、制御部２０が備える割込機能（例えば２ｍｓｅｃ周期で割込み、１回の計数処理の実行に対して少なくとも１回割込んで実行する）により、図６の計数処理に割り込んで実行する誘導抑制状態設定処理を示している。貸出装置２は、誘導抑制状態設定処理を開始すると、自装置２においてＩＣカードの発行中若しくは受付中、又はメダルの貸出中の何れかの状態にあるか否かを判定する（図５のＳ１）。
【００３１】
即ち、これらの何れかの状態にあれば、カード搬送用の駆動モータ２４ｂ又は払出ホッパ３１の駆動モータ３１ｂの駆動を伴うことから、ＩＣカードの発行中若しくは受付中と判定し（Ｓ１：ＹＥＳ）、前記貸出処理の実行中等であれば（若しくは駆動モータ３１ｂが駆動していれば）メダルの貸出中の状態と判定する（Ｓ１：ＹＥＳ）。このとき、貸出装置２は、誘導抑制状態にあるか否かを示す状態フラグＦを「１」に設定（誘導抑制状態を設定）する（Ｓ２）。つまり、状態フラグＦは、自装置２においてＩＣカードの発行中や受付中、メダルの貸出中等の状態にあって、その駆動モータ２４ｂ，３１ｂと計数ホッパ３２の駆動モータ３２ｂとが同時に駆動するのを抑制し、或いは計数ホッパ３２での正常な計数を担保するための、誘導抑制状態を規定する。
【００３２】
これに対し、貸出装置２は、何れの駆動モータ２４ｂ，３１ｂも駆動しておらず、自装置２においてＩＣカードの発行中若しくは受付中、又はメダルの貸出中の何れの状態にもないと判定したとき（Ｓ１：ＮＯ）、状態フラグＦを「０」に設定（誘導抑制状態を解除）する（Ｓ３）。このように、誘導抑制状態設定処理では、状態フラグＦを「０」と「１」の何れかに設定した上で、当該処理を終了する（リターンする）。
【００３３】
そして、遊技者はメダルを計数する場合、対応する貸出装置２における投入部３０の蓋３０ａを開けた状態で（図３参照）、その投入部３０の開口へメダルを投入し、計数経路Ｂ１を通じて当該メダルを貯留部３２ｃ内に貯留する。
【００３４】
ここで、貸出装置２は、所定周期（例えば１００ｍｓｅｃ周期）で実行する図６の計数処理を開始すると、オートスタートセンサ３２ｓによって、投入部３０へのメダルの投入があったか否かを検知する（図６のＳ１１）。貸出装置２は、投入部３０へのメダルの投入がないと検知すると（Ｓ１１：ＮＯ）、この処理を終了する（リターンする）。
【００３５】
貸出装置２は、上記した遊技者による投入部３０へのメダルの投入を、オートスタートセンサ３２ｓによって検知すると（Ｓ１１：ＹＥＳ）、状態フラグＦに基づき誘導抑制状態が発生しているか否かを判定する（Ｓ１２）。
【００３６】
具体的には、貸出装置２は、状態フラグＦが「１」のとき誘導抑制状態が発生していると判定し（Ｓ１２：ＹＥＳ）、状態フラグＦが「０」になり当該誘導抑制状態が終了したと判定する（Ｓ１２：ＮＯ）まで計数ホッパ３２での誘導動作の実行を待機する。そして、貸出装置２は、誘導抑制状態が発生していないと判定すると（Ｓ１２：ＮＯ）、計数ホッパ３２を駆動（駆動モータ３２ｂを駆動）することで、計数ホッパ３２での誘導動作を実行する（Ｓ１３）。
【００３７】
換言すれば、例えばＩＣカードを発行している場合にあっては、貸出装置２は、カード搬送用の駆動モータ２４ｂの駆動を伴う誘導抑制状態が発生していると判断すると共に（前記Ｓ１２：ＹＥＳ）、当該ＩＣカードの発行が終了し駆動モータ２４ｂが停止している場合に誘導抑制状態が終了したものとして（前記Ｓ１２：ＮＯ）、計数ホッパ３２での誘導動作を実行させる。つまり、誘導抑制状態が発生していると判定した場合、当該誘導抑制状態が終了するまで計数ホッパ３２での誘導動作の実行を待機（遅延）している。
【００３８】
一方、例えば払出ホッパ３１がメダルを払い出している場合にあっては、貸出装置２は、払出ホッパ３１の駆動モータ３１ｂの駆動を伴う誘導抑制状態が発生していると判断すると共に（前記Ｓ１２：ＹＥＳ）、そのメダルの払出が終了し駆動モータ３１ｂが停止している場合に誘導抑制状態が終了したものとして（前記Ｓ１２：ＮＯ）、計数ホッパ３２での誘導動作を実行させる。
【００３９】
この誘導動作において、貯留部３２ｃ内のメダルは、駆動モータ３１ｂの駆動により回転盤３２ｆが回転することに伴い、円形凹部３５Ｂに１枚ずつ収まり、その凹部３５Ｂのメダルが後方の回転位置へ至ると、１枚ずつ当該後方の計数経路Ｂ２側へ送り出されるようにして誘導される。この場合、貸出装置２は、計数センサ３２ａからのセンサ出力に基づき、計数経路Ｂ２でのメダルの通過を確認した後、メダルのカウント値をインクリメントすることにより、メダルを計数する。
【００４０】
また、貸出装置２は、計数センサ３２ａからのセンサ出力に基づき、所定時間（例えば１０秒）新たなメダルの計数がないか否かを判定する（Ｓ１４）。つまり、貸出装置２は、上記した計数ホッパ３２の駆動により、貯留部３２ｃ内のメダル全部が計数経路Ｂ２へ誘導され且つ計数されて、貯留部３２ｃ内のメダルが無くなったことを、計数センサ３２ａのセンサ出力を利用して判定する。これにより、貸出装置２は、所定時間新たなメダルの計数がないと判定すると（Ｓ１４：ＹＥＳ）、駆動モータ３１ｂの停止により計数ホッパ３２での誘導動作を終了すると共に（Ｓ１５）、この処理を終了する。
【００４１】
図７は、貸出装置２において所定周期（例えば１００ｍｓｅｃ周期）で実行されるカード発行処理の流れを示している。貸出装置２は、カード発行処理を開始すると、ＩＣカードの発行操作があったか否かを判定する（Ｓ２１）。貸出装置２は、ＩＣカードの発行操作がないと判定すると（Ｓ２１：ＮＯ）、この処理を終了する（リターンする）。
【００４２】
貸出装置２は、液晶表示部２３の発行ボタンに対して遊技者のタッチ操作がなされると、ＩＣカードの発行操作があったと判定し（Ｓ２１：ＹＥＳ）、駆動モータ３２ｂの駆動により計数ホッパ３２での誘導動作を実行させる（Ｓ２２）。次いで、貸出装置２は、計数センサ３２ａからのセンサ出力に基づき、所定時間（例えば計数処理のＳ１４のときよりも短い５秒）新たなメダルの計数がないか否かを判定する（Ｓ２３）。貸出装置２は、所定時間新たなメダルの計数がないと判定すると（Ｓ２３：ＹＥＳ）、駆動モータ３１ｂの停止により計数ホッパ３２での誘導動作を終了する（Ｓ２４）。この後、貸出装置２は、計数した持玉や残高が残存する場合には、その持玉や残高を特定可能な情報をＩＣカードに書込み、係る書込みを終えたＩＣカードをモータ２４ｂの駆動によりカード挿入口２４側へ繰出すことにより、ＩＣカードを発行して（Ｓ２５）、この処理を終了する。
【００４３】
このように、貸出装置２は、遊技者が発行操作を行った場合、ＩＣカードを発行する前に、オートスタートセンサ３２ｓによりメダルの投入を検知したか否かに関わらず、計数ホッパ３２での誘導動作を実行する。これは、貯留部３２ｃ内にメダルが残っている状態（記録すべき持玉全てを計数していない状態）でＩＣカードを発行してしまうことを抑制するための工夫である。
【００４４】
図８は、上記した割込機能により図７のカード発行処理に割り込んで実行する発行中止処理を示している。貸出装置２は、発行中止処理を開始すると、ＩＣカードの発行を中止するときの３つの条件を満たしているか否かを判定する（図８のＳ３１〜Ｓ３３）。
【００４５】
具体的には、貸出装置２は、ＩＣカードの発行中つまり図７のＩＣカードの発行（Ｓ２５）中であるか否かを判定する（Ｓ３１）。また、貸出装置２は、ＩＣカードの発行中であると判定すると（Ｓ３１：ＹＥＳ）、オートスタートセンサ３２ｓによって、投入部３０へのメダルの投入があったか否かを検知する（Ｓ３２）。更に、貸出装置２は、投入部３０へのメダルの投入があったと判定すると（Ｓ３２：ＹＥＳ）、ＩＣカードの発行を中止可能なタイミングか否かを判定する（Ｓ３３）。
【００４６】
つまり、貸出装置２において、ＩＣカードの発行中に投入部３０にメダルが投入された場合（Ｓ３１とＳ３２とで何れもＹＥＳ）、そのＩＣカードの発行を中止することが可能なタイミングであれば（Ｓ３３：ＹＥＳ）、そのＩＣカードの発行を中止する（Ｓ３４）。ＩＣカードの発行を中止可能なタイミングであるか否かは、当該ＩＣカードの発行中にメダルの投入を検知した時点で、駆動中のモータ２４ｂの逆回転により当該ＩＣカードを発行せずに回収できるタイミング（当該モータ２４ｂの正回転開始から所定時間以内（例えば０．３秒以内）であるか否かにより判定する。
【００４７】
このように、貸出装置２は、ステップＳ３１〜Ｓ３３で何れもＹＥＳと判定するとＩＣカードの発行を中止する一方（Ｓ３４）、ステップＳ３１〜Ｓ３３の何れかでＮＯと判定すると、ＩＣカードの発行を中止することなく、発行中止処理を終了する（リターンする）。
【００４８】
貸出装置２は、上記した発行中止処理においてＩＣカードの発行を中止した場合（Ｓ３４）、ＩＣカードを発行するために設定していた誘導抑制状態を解除することになる（図５のＳ１：ＮＯ、Ｓ３）。そして、この誘導抑制状態の解除によって計数処理での誘導動作を実行させることにより（図６のＳ１１：ＹＥＳ、Ｓ１２：ＮＯ、Ｓ１３）、投入されたメダルを、計数センサ３２ａからのセンサ出力に基づき計数する（計数結果を持玉として加算する）こととなる。つまり、貸出装置２は、割込機能を有すると共に並行して複数の処理の実行が可能に構成されていることから、図７のカード発行処理と並行して図６の計数処理を実行することで、ＩＣカードの発行中（或いはメダルの貸出中）にメダルが投入された場合でも、そのメダルの計数を可能としている（図５、図８参照）。
【００４９】
尚、図８の発行中止処理においてＩＣカードの発行を中止した場合（Ｓ３４）、再度遊技者が発行操作を行わないとＩＣカードを発行しない構成になっているが（図７のＳ２１参照）、ＩＣカードの発行中止に伴うメダルの計数が終了した後に（前記計数結果を持玉として加算した後に）、ステップＳ２５を実行することで自動的にＩＣカードを発行する構成にしてもよい。
【００５０】
以上説明した実施形態によれば、次のような効果を奏する。
貸出装置２において、誘導抑制状態が発生している場合には計数ホッパ３２での誘導動作の実行を待機するので、誘導抑制状態において計数ホッパ３２での誘導動作が発生することを抑制できる。これにより、貸出装置２における処理負荷や電力負荷が大きくなることを抑制し、メダルの計数を良好に行うことができる。
【００５１】
貸出装置２にて発行操作が行われた場合、ＩＣカードを発行する前にメダルの計数を行うことができるため、貯留部３２ｃにメダルが残ったままＩＣカードを発行することを抑制できる。
【００５２】
貸出装置２は、ＩＣカードの発行中に投入部３０にメダルが投入された場合にＩＣカードの発行を中止するので、投入されたメダルの計数を行ってから改めてＩＣカードの発行を行うことができる。これにより、貯留部３２ｃにメダルが残ったままＩＣカードを発行することを抑制できる効果を高くすることができる。
【００５３】
本発明は、上記実施形態に限定されることなく、次のように変形または拡張したり、各変形例を上記実施形態と組合せたり、各変形例を組合せるようにしてもよい。
計数センサ３２ａへの誘導対象（計数対象）をメダルとしたが、遊技機がパチンコ遊技機であれば、パチンコ玉を計数対象とする構成にしてもよい。つまり、遊技媒体として玉を投入する投入部を備えた遊技用装置に適用することも可能である。
【００５４】
また、遊技用装置として、遊技機に１対１で対応する貸出装置２を例示したが、複数の遊技機に対応して設けられる一の遊技用装置であってもよい。例えば、複数の遊技機を設置した遊技機島に対し一の遊技用装置を設置した構成において、遊技者により獲得された遊技媒体を遊技場の従業員が一の遊技用装置まで運搬し、その従業員が計数者として当該一の遊技用装置の投入部に遊技媒体を投入する構成が考えられる。このように、計数者は、遊技者に限らず、従業員であってもよい。
【００５５】
誘導抑制状態として、ＩＣカードの発行中若しくは受付中、又はメダルの貸出中を例示したが、誘導抑制状態を任意に変更してもよい。例えば、上記した貸出装置２と管理装置６との間では信号の送受信が行われるが、貸出装置２において、管理装置６から信号の受信を待機することがあるとき、その待機中（或いは信号の送受信中）の状態を、状態フラグＦが「１」に設定される誘導抑制状態として規定してもよい。
【００５６】
誘導動作として駆動モータ３２ｂの駆動により計数センサ３２ａに向けてメダルを誘導する構成を例示したが、誘導動作乃至誘導手段はこれに限られるものではなく、貯留部３２ｃの底部にシャッタ手段を設け、そのシャッタが閉鎖状態から開放状態に切り替わることにより、計数センサ３２ａに向けてメダルを落下させて誘導する誘導手段を構成してもよい。また、計数センサ３２ａについても、メダルの誘導動作の態様に応じて適宜検出方式を変更すればよく、例えば誘導した（計数経路Ｂ２を通過する）メダルを撮像する撮像手段を設け、その撮像手段が撮像した画像の解析によって、メダルを計数するようにしてもよい。このように、計数部は、撮像手段やその他の計数手段で構成してもよいことは勿論である。
【００５７】
発行操作や払出操作は例示したものに限られるものではなく、例えばＩＣカードの発行や、貸出処理（払出処理）の際に操作するボタンを遊技機１に設けるようにしてもよい。この他、遊技用装置に付属する別装置のボタンやタッチパネルを利用して発行操作や払出操作を行い、又、別装置の備える発行手段や払出手段で、ＩＣカードの発行や貸出処理等を行う構成にしてもよい。
【００５８】
持玉や残高を特定可能な情報をＩＣカードに書込む構成にしたが、こうした計数結果に関する情報をＩＣカードに直接書込むことなく、ＩＣカードのカードＩＤに対応付けて管理装置６側で計数結果を管理してもよい。本構成においては、ＩＣカードを使用する際に（ＩＣカードの挿入口２４への挿入に際して）貸出装置２が管理装置６と通信を行い、管理装置６で管理している計数結果を特定することができる。
【００５９】
ＩＣカードの発行中にメダルが投入部３０に投入された場合におけるＩＣカードの発行を中止できるタイミングとして、駆動モータ２４ｂの駆動開始から所定時間以内としたが、その中止可能なタイミングを任意に変更してもよい。例えば、ＩＣカードに計数結果に関する情報を書込んでからＩＣカードを挿入口２４側へ繰出して発行する一連の流れのうち、計数結果に関する情報の書込みの最中であれば中止可能なタイミングであると判定する一方、その書込みが終了して駆動モータ３１ｂが駆動を開始していれば中止不能なタイミングであると判定する構成にしてもよい。本構成においては、ＩＣカードに書き込みを開始したタイミングからＩＣカードの発行中と判断することになる。また、ＩＣカードの発行中にメダルが投入部３０に投入されても、ＩＣカードの発行を中止しない構成にすることも可能である。尚、上記した数値、桁数、項目等は例示であり、どのような数値を採用してもよく、前記所定時間等について適宜の値に設定しうることは勿論である。
【００６０】
誘導抑制状態の発生中に、メダルが投入部３０に投入されたことを条件に、当該誘導抑制状態が終了した後に計数ホッパ３２での誘導動作を実行する構成にしたが、誘導抑制状態が終了した場合、当該誘導抑制状態の発生中にメダル投入があったか否かに関わらず計数ホッパ３２での誘導動作を実行する構成にしてもよい。
【００６１】
具体的には、貸出装置２は、図６の計数処理においてステップＳ１１を除くステップＳ１２〜Ｓ１５の処理を実行するものとし、誘導抑制状態が終了したと判定した場合（Ｓ１２：ＮＯ）、当該誘導抑制状態中に投入部３０にメダルが投入されたか否かに関わらず、駆動モータ３２ｂの駆動により計数ホッパ３２での誘導動作を実行する（Ｓ１３）構成とする。係る構成によれば、貸出装置２は、誘導抑制状態が終了した場合、その誘導抑制状態中に投入部３０へのメダルの投入があったか否かに関わらず計数ホッパ３２での誘導動作を実行するため、計数できないメダルが発生することを抑制できる。
【符号の説明】
【００６２】
図面中、１は遊技機、２は貸出装置（遊技用装置）、２０は制御部（誘導手段、払出手段、発行手段）、２４ａはカードＲＷ（発行手段）、２４ｂは駆動モータ（発行手段）、３０は投入部、３１は払出ホッパ（払出手段）、３２ａは計数センサ（計数部）、３２ｂは駆動モータ（誘導手段）、３２ｃは貯留部、３２ｆは回転盤（誘導手段）、である。
【図１】
2019000521.tif 000003
【図２】
2019000521.tif 000004
【図３】
2019000521.tif 000005
【図４】
2019000521.tif 000006
【図５】
2019000521.tif 000007
【図６】
2019000521.tif 000008
【図７】
2019000521.tif 000009
【図８】
2019000521.tif 000010